(57)【要約】【課題】通信可能圏内に多数の被通信端末が存在した場合に、通信端末の限られた表示画面で、効率よく通信相手を特定する通信先の選択方法を実現すること。【解決手段】通信端末の送信手段の出力に、その出力を減衰するための減衰手段と、前記減衰手段を減衰あるいは非減衰に設定するための設定手段と、前記減衰手段を制御するための制御手段とを設け、前記設定手段で前記減衰手段が減衰に設定された時に、自ら送信する場合、あるいは他の通信端末から来た通信要求を受け、前記減衰手段の設定に応じて送信出力を制御することで、通信相手にとり不要な通信端末からの応答を少なくする。【選択図】　　図１
2004135141.tif 000002
【特許請求の範囲】
【請求項１】
無線送信手段と、前記無線送信手段の出力を減衰させる減衰手段と、前記減衰手段を減衰あるいは非減衰に設定する設定手段と、前記減衰手段を制御するための制御手段とを備えたことを特徴とする通信端末装置。
【請求項２】
前記制御手段は、他の通信端末装置から送られてきた通信要求を受けた時、前記減衰手段の減衰設定を調べ、減衰設定されていれば、前記通信要求に従って送信を開始する前に、前記減衰手段により前記無線送信手段の出力を減衰させ、前記送信が完了した後、前記減衰手段を非減衰に設定することを特徴とする請求項１に記載の通信端末装置。
【請求項３】
無線送信手段の出力に接続された減衰手段を減衰あるいは非減衰に設定するステップと、他の通信端末からの送信要求を調べるステップと、前記送信要求を受けた場合に前記減衰手段が減衰側に設定されていれば、前記減衰手段で前記無線送信手段の出力を減衰させるステップと、前記送信が終了した後、前記減衰手段の設定を非減衰に設定するステップとからなる通信先登録方法。
【請求項４】
無線送信手段と、前記無線送信手段の出力を減衰させる減衰手段と、前記減衰手段を減衰あるいは非減衰に設定する操作手段と、前記操作手段により操作される制御手段とから構成され、他の通信端末装置から送られてきた通信要求を受けた時、前記減衰手段の減衰設定を調べ、減衰設定されていれば、前記通信要求に従って送信を開始する前に、前記減衰手段により前記無線送信手段の出力を減衰させ、前記送信が完了した後、前記減衰手段を非減衰に設定するする制御手段を備えたことを特徴とする通信端末装置。
【請求項５】
無線送信手段と、前記無線送信手段の出力を減衰させる減衰手段と、前記減衰手段を減衰あるいは非減衰に設定する入力手段と、前記減衰手段の減衰設定を調べ、減衰設定されていれば、前記通信要求に従って送信を開始する前に、前記減衰手段により前記無線送信手段の出力を減衰させることを特徴とする制御手段とを備えたことを特徴とする通信端末装置。
【請求項６】
無線送信手段と、前記無線送信手段の出力を設定された減衰量で減衰させる可変減衰手段と、前記可変減衰手段を減衰あるいは非減衰に設定する操作手段と、他の通信端末装置から送られてきた通信要求を受けた時、前記減衰手段の減衰量を最大にして送信し、他の端末から応答が無ければ前記可変減衰手段の減衰量を減らして再度送信し、他の端末からの応答を受けた時には前記可変減衰手段の減衰量を最小に設定する制御手段を備えたことを特徴とする通信端末装置。
【請求項７】
他の通信端末からの送信要求を調べるステップと、無線送信手段の出力に接続された可変減衰手段の減衰量を設定するステップと、前記送信要求を受けた場合に前記可変減衰手段の減衰量を最大にするステップと、無線送信を行うステップと、他の通信端末からの応答を調べるステップと、前記ステップにて応答がない場合は前記可変減衰手段の減衰量を減らして再度送信し、前記他の端末からの応答がある場合は前記可変減衰手段の減衰量を最小にするステップとからなる通信先登録方法。
【発明の詳細な説明】
【０００１】
【発明の属する技術分野】
本発明は、無線通信端末の接続先登録方法に関するものであり、特に複数の無線通信端末の中から特定の通信相手の登録をスムースにできる仕組みに特徴を有するものである。
【０００２】
【従来の技術】
近年、携帯電話やＰＤＡには近距離無線通信機能が標準で搭載されており、通信端末間のデータ通信を無線で行えるようになった。
【０００３】
通常、通信端末と被通信端末とのデータ通信を行う前に、通信可能圏内に存在する被通信端末を調査するインクワイアリ処理を行い、次にインクワイアリに応答した被通信端末の中から所望の通信相手を指定して、通信先を登録するのが一般的である。
【０００４】
また通信可能圏内に被通信端末が複数存在する場合でも、被通信端末を特定するための識別情報を通信端末の表示部に表示し指定することにより、所望の通信端末を選択できる方法が開示されている（例えば特許文献１を参照。）。
【０００５】
【特許文献１】
特開２００１−１４４７６７号公報（第１１頁−１２頁、第１３図）
【０００６】
【発明が解決しようとする課題】
しかしながら、従来のシステムでは、通信可能圏内に存在するすべての被通信端末の識別情報が表示されるため、携帯電話等の小さな表示画面で前記識別情報群より特定の通信端末を指定することは、非常に手間がかかっていた。
【０００７】
【課題を解決するための手段】
前記課題を解決するために、本発明の通信先登録方法は、通信可能圏内に存在する被通信端末を調査するフェーズにおいて、通信端末の送信出力電波をハードウェアで意図的に抑制することを特徴としたものである。
【０００８】
本発明によれば、通信可能圏内に複数の被通信端末が存在した場合でも、所望の通信相手を限定することができるため、通信先の登録を携帯端末の小さな表示画面でスムースに行うことができる通信先登録方法を提供できる。
【０００９】
【発明の実施の形態】
請求項１に記載の発明は、無線送信手段と、前記無線送信手段の出力を減衰させる減衰手段と、前記減衰手段を減衰あるいは非減衰に設定する設定手段と、前記減衰手段を制御するための制御手段とを備えたことを特徴とする通信端末装置であり、通信可能圏内の被通信端末を調査する時に、通信端末の送信出力電波をハードウェアで意図的に抑制することによって被通信端末を限定し、携帯端末の小さな表示画面で通信相手の登録をスムースに行うことを実現しうるものである。
【００１０】
請求項２に記載の発明は、前記制御手段は、他の通信端末装置から送られてきた通信要求を受けた時、前記減衰手段の減衰設定を調べ、減衰設定されていれば、前記通信要求に従って送信を開始する前に、前記減衰手段により前記無線送信手段の出力を減衰させ、前記送信が完了した後、前記減衰手段を非減衰に設定することを特徴とする請求項１に記載の通信端末装置であり、通信可能圏内の被通信端末を調査する時に、通信端末の送信出力電波をハードウェアで意図的に抑制することによって被通信端末を限定し、携帯端末の小さな表示画面で通信相手の登録をスムースに行うことを実現しうるものである。
【００１１】
請求項３に記載の発明は、無線送信手段の出力に接続された減衰手段を減衰あるいは非減衰に設定するステップと、他の通信端末からの送信要求を調べるステップと、前記送信要求を受けた場合に前記減衰手段が減衰側に設定されていれば、前記減衰手段で前記無線送信手段の出力を減衰させるステップと、前記送信が終了した後、前記減衰手段の設定を非減衰に設定するステップとからなる通信先登録方法であり、通信可能圏内の被通信端末を調査する時に、通信端末の送信出力電波をハードウェアで意図的に抑制することによって被通信端末を限定し、携帯端末の小さな表示画面で通信相手の登録をスムースに行うことを実現しうるものである。
【００１２】
請求項４に記載の発明は、無線送信手段と、前記無線送信手段の出力を減衰させる減衰手段と、前記減衰手段を減衰あるいは非減衰に設定する操作手段と、前記操作手段により操作される制御手段とから構成され、他の通信端末装置から送られてきた通信要求を受けた時、前記減衰手段の減衰設定を調べ、減衰設定されていれば、前記通信要求に従って送信を開始する前に、前記減衰手段により前記無線送信手段の出力を減衰させ、前記送信が完了した後、前記減衰手段を非減衰に設定するする制御手段を備えたことを特徴とする通信端末装置であり、通信端末の送信出力電波の抑制及び解除を自動的に行う手段を備えた事を特徴としたものであり、使用者の利便性の向上を実現しうるものである。。
【００１３】
請求項５に記載の発明は、無線送信手段と、前記無線送信手段の出力を減衰させる減衰手段と、前記減衰手段を減衰あるいは非減衰に設定する入力手段と、前記減衰手段の減衰設定を調べ、減衰設定されていれば、前記通信要求に従って送信を開始する前に、前記減衰手段により前記無線送信手段の出力を減衰させることを特徴とする制御手段とを備えたことを特徴とする通信端末装置であり、無線通信端末と被無線通信端末とのデータ通信において、使用者の操作によって、送信出力電波を抑制する手段を備えた事を特徴としたものであり、データ通信部における消費電力を低くし、通信端末の電池を長く持たせる事を実現しうるものである。
【００１４】
請求項６に記載の発明は、無線送信手段と、前記無線送信手段の出力を設定された減衰量で減衰させる可変減衰手段と、前記可変減衰手段を減衰あるいは非減衰に設定する操作手段と、他の通信端末装置から送られてきた通信要求を受けた時、前記減衰手段の減衰量を最大にして送信し、他の端末から応答が無ければ前記可変減衰手段の減衰量を減らして再度送信し、他の端末からの応答を受けた時には前記可変減衰手段の減衰量を最小に設定する制御手段を備えたことを特徴とする通信端末装置であり、通信端末の送信出力電波の強度を調節する手段を備えた事を特徴としたものであり、通信可能圏内の複数端末の中から特定の通信端末を効率良く限定できる事を実現しうるものである。
【００１５】
請求項７に記載の発明は、他の通信端末からの送信要求を調べるステップと、無線送信手段の出力に接続された可変減衰手段の減衰量を設定するステップと、前記送信要求を受けた場合に前記可変減衰手段の減衰量を最大にするステップと、無線送信を行うステップと、他の通信端末からの応答を調べるステップと、前記ステップにて応答がない場合は前記可変減衰手段の減衰量を減らして再度送信し、前記他の端末からの応答がある場合は前記可変減衰手段の減衰量を最小にするステップとからなる通信先登録方法であり、通信端末の送信出力電波の強度を調節するステップを備えた事を特徴としたものであり、通信可能圏内の複数端末の中から特定の通信端末を効率良く限定できる事を実現しうるものである。
【００１６】
（実施の形態１）
以下に、本発明の請求項１及び請求項２及び請求項３に記載された発明の実施の形態について、図１及び図２を用いて説明する。図１は本発明のハードウェア構成図であり、図２は処理手順を示したフローチャートである。
【００１７】
図１は本発明の無線通信端末であり、同様の構成である被無線通信端末と無線通信でデータの交換を行う。１０１は制御部であり無線通信端末全体の制御を行う。１０２は送信処理部であり送信データの無線信号処理を行う。１０３は受信処理部であり受信データの無線信号処理を行う。１０５は操作部であり使用者の指示を受け付ける。１０６は減衰部であり出力電波の減衰を行う。１０７はキー入力部であり使用者の指示により減衰部１０６のＯＮ／ＯＦＦを行う。１０８は表示制御部であり制御部１０１からの指令に従って表示データを一時的に記憶するとともに表示に必要な制御を行う。１０９は表示部であり表示制御部１０８の制御に従って通信可能な通信端末の識別データ及びその他のデータの表示を行う。
【００１８】
ここで図１及び図２を用いて通信先の登録における通信端末の処理の流れを説明する。この処理は制御部１０１が行う。まずキー入力部１０７より減衰部１０６をＯＮにする指示がされているかどうかの判定を行う（Ｓ２０１）。
【００１９】
（ａ）指示有りと判定した場合には、減衰部１０６をＯＮにして（Ｓ２０６）、つぎの処理に移行する。（ｂ）指示無しと判定した場合には、ステップ２０１までもどって同様な処理を繰り返す。つぎに操作部１０５よりインクワイアリ処理の指示がされているかどうかの判定を行う（Ｓ２０２）。
【００２０】
（ａ）指示有りと判定した場合には、インクワイアリを送信する（Ｓ２０３）。（ｂ）指示無しと判定した場合には、ステップＳ２０２までもどって同様な処理を繰り返す。つぎにインクワイアリに応答があったかどうかの判定を行う（Ｓ２０４）。
【００２１】
（ａ）応答有りと判定した場合には、つぎの処理に移行する。（ｂ）応答無しと判定した場合には、ステップＳ２０３までもどって同様な処理を繰り返す。つぎにキー入力部１０７より減衰部１０６をＯＦＦにする指示がされているかどうかの判定を行う（Ｓ２０５）。
【００２２】
（ａ）指示有りと判定した場合には、減衰部１０６をＯＦＦにして（Ｓ２０７）、通信先の登録を完了する。（ｂ）指示無しと判定した場合には、ステップ２０５までもどって同様な処理を繰り返す。
【００２３】
以上の処理によって、通信可能圏内の被通信端末を調査するフェーズにおいて、被通信端末を限定することが可能となり、通信相手の登録をスムースに行うことができる。
【００２４】
（実施の形態２）
つぎに、本発明の請求項４に記載された発明の実施の形態について、図３及び図４を用いて説明する。なお、前述した実施の形態と同じ構成については同じ符号を用い、説明を省略する。
【００２５】
図３は本発明のハードウェア構成図であり、図４は処理手順を示したフローチャートである。図３において、減衰部１０６は制御部１０１の指示によりＯＮ／ＯＦＦ　を行う。
【００２６】
ここで図３及び図４を用いて通信先の登録における通信端末の処理の流れを説明する。この処理は制御部１０１が行う。まず操作部１０５よりインクワイアリ処理の指示がされているかどうかの判定を行う（Ｓ２０２）。（ａ）指示有りと判定した場合には、制御部１０１は減衰部１０６をＯＮにする（Ｓ４０１）。（ｂ）指示無しと判定した場合には、ステップＳ２０２までもどって同様な処理を繰り返す。つぎにインクワイアリを送信する（Ｓ２０３）。つぎにインクワイアリに応答があったかどうかの判定を行う（Ｓ２０４）。（ａ）応答有りと判定した場合には、つぎの処理に移行する。（ｂ）応答無しと判定した場合には、ステップＳ２０３までもどって同様な処理を繰り返す。つぎに制御部１０１は減衰部１０６をＯＦＦにする（Ｓ４０２）。
【００２７】
以上の処理によって、通信可能圏内の被通信端末を登録するフェーズにおいて、使用者の利便性を向上することができる。
【００２８】
（実施の形態３）
つぎに、本発明の請求項５に記載された発明の実施の形態について、図５及び図６を用いて説明する。図５は本発明のハードウェア構成図であり、図６は処理手順を示したフローチャートである。
【００２９】
ここで図５及び図６を用いて端末間のデータ通信における通信端末の処理の流れを説明する。この処理は制御部１０１が行う。まずキー入力部１０７より減衰部１０６をＯＮにする指示がされているかどうかの判定を行う（Ｓ６０１）。（ａ）指示有りと判定した場合には、減衰部１０６をＯＮにする（Ｓ６０２）。（ｂ）指示無しと判定した場合には、減衰部１０６をＯＦＦにする（Ｓ６０３）。つぎにデータ通信を行う（Ｓ６０４）。つぎにデータ通信を完了するかどうかの判定を行う（Ｓ６０５）。（ａ）完了しないと判定した場合には、ステップ６０１までもどって同様な処理を繰り返す。（ｂ）完了すると判定した場合には、この処理を終了する。
【００３０】
以上の処理によって、通信端末の通信部における消費電力を低くし、通信端末の電池を長く持たせることができる。また、低出力電波で通信することで、データ受信可能な範囲が狭くなり、データの盗聴防止効果を上げることもできる。
【００３１】
（実施の形態４）
つぎに、本発明の請求項６及び請求項７に記載された発明の実施の形態について、図７及び図８を用いて説明する。図７は本発明のハードウェア構成図であり、図８は処理手順を示したフローチャートである。図７において、７０１は可変減衰部であり、減衰量は制御部１０１により制御される。
【００３２】
ここで図７及び図８を用いて通信先の登録における通信端末の処理の流れを説明する。この処理は制御部１０１が行う。まず操作部１０５よりインクワイアリ処理の指示がされているかどうかの判定を行う（Ｓ２０２）。（ａ）指示有りと判定した場合には、制御部１０１は減衰部１０６をＯＮにする（Ｓ４０１）。（ｂ）指示無しと判定した場合には、ステップＳ２０２までもどって同様な処理を繰り返す。つぎに制御部１０１は減衰部１０６の減衰量を最大に設定する（Ｓ８０１）。つぎにインクワイアリを送信する（Ｓ２０３）。つぎにインクワイアリに応答があったかどうかの判定を行う（Ｓ２０４）。（ａ）応答有りと判定した場合には、つぎの処理に移行する。（ｂ）応答無しと判定した場合には、減衰量の減少を行い（Ｓ８０２）、ステップＳ２０３までもどって同様な処理を繰り返す。つぎに減衰部１０６をＯＦＦにする（Ｓ４０２）。
【００３３】
以上の処理によって、通信可能圏内の被通信端末を登録するフェーズにおいて、複数の被通信端末の中から効率良く所望する通信端末を限定することができる。
【００３４】
【発明の効果】
以上のように、本発明の無線通信端末における通信先の登録方法によれば、通信可能圏内に複数の被通信端末が存在した場合でも、所望の被通信端末を効率良く限定できるため、通信端末の小さな表示画面でも手間をかけることなく通信先を登録することが可能になる。
【図面の簡単な説明】
【図１】本発明の実施の形態１における無線通信端末の概要を示すシステム図
【図２】本発明の実施の形態１における無線通信端末の処理手順を示すフローチャート
【図３】本発明の実施の形態２における無線通信端末の概要を示すシステム図
【図４】本発明の実施の形態２における無線通信端末の処理手順を示すフローチャート
【図５】本発明の実施の形態３における無線通信端末の概要を示すシステム図
【図６】本発明の実施の形態３における無線通信端末の処理手順を示すフローチャート
【図７】本発明の実施の形態４における無線通信端末の概要を示すシステム図
【図８】本発明の実施の形態４における無線通信端末の処理手順を示すフローチャート
【符号の説明】
１０１　　制御部
１０２　　送信処理部
１０３　　受信処理部
１０４　　記憶部
１０５　　操作部
１０６　　減衰部
１０７　　キー入力部
１０８　　表示制御部
１０９　　表示部
７０１　　可変減衰部
【図１】
2004135141.tif 000003
【図２】
2004135141.tif 000004
【図３】
2004135141.tif 000005
【図４】
2004135141.tif 000006
【図５】
2004135141.tif 000007
【図６】
2004135141.tif 000008
【図７】
2004135141.tif 000009
【図８】
2004135141.tif 000010